(57)【要約】【課題】水栓を取り付けるための水栓金具を上方からの作業で天板に強固に取り付けることができる水栓の取付構造を提供すること。【解決手段】水栓５を取付金具１０によって天板３に取り付ける構造として、前記取付金具１０を、前記天板３に形成された取付孔３ａを上方から通過し得る円筒状の台座部材１１と、折り曲げた状態で前記天板３の取付孔３ａを通過して前記台座部材１１の下端部（鍔部）１１Ｂに係合するリング状の下金具１２と、前記天板３の取付孔３ａに通された前記台座部材１１の前記天板３から上方へ突出する雄ネジ部１１ａに螺合するナット部材１３とで構成し、前記ナット部材１３を締め付けることによって前記台座部材１１をナット部材１３と前記下金具１２とで天板３に挟着して取り付ける構成を採用する。【選択図】図２
2007262775.tif 000002
【特許請求の範囲】
【請求項１】
水栓を取付金具によって天板に取り付ける構造であって、
前記取付金具を、前記天板に形成された取付孔を上方から通過し得る円筒状の台座部材と、折り曲げた状態で前記取付孔を通過して前記台座部材の下端部に係合するリング状の下金具と、前記取付孔に通された前記台座部材の前記天板から上方へ突出する雄ネジ部に螺合するナット部材とで構成し、前記ナット部材を締め付けることによって前記台座部材をナット部材と前記下金具とで天板に挟着するようにしたことを特徴とする水栓の取付構造。
【請求項２】
前記ナット部材と天板の上面との間にリング状のワッシャとパッキンを介設したことを特徴とする請求項１記載の水栓の取付構造。
【請求項３】
前記下金具の上面に、天板の取付孔に嵌合する凸部を形成したことを特徴とする請求項１又は２記載の水栓の取付構造。
【請求項４】
前記取付部材を、円筒状の台座部材と、折り曲げ可能なリング状の下金具及び前記台座部材の上端に形成された雄ネジ部に螺合するナット部材で構成される取付金具を用いて水栓を天板に取り付ける方法であって、
前記台座部材に棒状の治具を螺着し、該治具を用いて前記台座部材を天板の取付孔に上方から通し、前記下金具を折り曲げた状態で天板の取付孔にこれを上方から通した後、該下金具を広げてこれを前記台座部材に上方から通して該台座部材の下端に係合せしめ、治具を引き上げて前記台座部材を天板の取付孔に嵌め込むとともに、該台座部材の下端に係合する前記下金具を天板の下面に当接させた状態で、前記ナット部材を治具に通してこれを前記台座部材の天板から上方へ突出する雄ネジ部に螺着することによって台座部材をナット部材と下金具とで天板に挟着した後、該台座部材から前記治具を取り外すようにしたことを特徴とする水栓の取付方法。
【請求項５】
前記治具を引き上げて前記台座部材を天板の取付孔に嵌め込むとともに、該台座部材の下端に係合する前記下金具を天板の下面に当接させた状態で、リング状のパッキンとワッシャを前記治具と前記台座部材の上部に通してこれらを天板の上面に設置することを特徴とする請求項４記載の水栓の取付方法。
【発明の詳細な説明】
【技術分野】
【０００１】
本発明は、取付金具を用いて水栓を上方からの作業だけで天板に取り付けるための取付構造及び取付方法に関するものである。
【背景技術】
【０００２】
従来、水栓を流し台や洗面台の天板への取り付けは、先ず、水栓の下端に突設された円筒状の雄ネジ部を天板の取付孔に上方から差し込んで通し、天板の下方へ突出する雄ネジ部にナット部材を天板の下側から締め付けることによってなされていた。
【０００３】
ところが、上記従来の取付方法では、１人での作業は容易ではなく、天板の下側の狭い場所での作業が必要であるために作業性が悪いという問題があった。
【０００４】
そこで、水栓を上方からの作業だけで天板に取り付けることができる取付構造が提案されている（例えば、特許文献１〜３参照）。
【０００５】
このような取付構造は、天板の上方から取付金具を取り付け、この取付金具に水栓を固定するものであって、取付金具を台座部材と下金具で構成し、これらの台座部材と下金具とで天板を挟み込み、２本のボルトを天板の上方から締め付けることによって台座部材と下金具を固定するようにしたものである。
【特許文献１】特許第３７４０９５４号公報
【特許文献２】特開２００２−２５００６０号公報
【特許文献３】特開２００２−２７５９６４号公報
【発明の開示】
【発明が解決しようとする課題】
【０００６】
しかしながら、従来の水栓の取付構造は、円筒状の台座部材の周部分に挿通する２本のボルトによって該台座部材を天板に固定する方式を採用していたため、台座部材のボルトから離れた部分の取付強度が弱く、しかも、下金具は半円状或は部分的な鍔状であったために台座部材の固定が一層不安定であった。このため、水栓に横方向の外力が作用すると該水栓にぐらつきが発生し、又、台座部材と天板との間に隙間が発生し易く、その隙間から水が侵入するという問題が発生する。
【０００７】
本発明は上記問題に鑑みてなされたもので、その目的とする処は、水栓を取り付けるための水栓金具を上方からの作業で天板に強固に取り付けることができる水栓の取付構造及び取付方法を提供することにある。
【課題を解決するための手段】
【０００８】
上記目的を達成するため、請求項１記載の発明は、水栓を取付金具によって天板に取り付ける構造として、前記取付金具を、前記天板に形成された取付孔を上方から通過し得る円筒状の台座部材と、折り曲げた状態で前記取付孔を通過して前記台座部材の下端部に係合するリング状の下金具と、前記取付孔に通された前記台座部材の前記天板から上方へ突出する雄ネジ部に螺合するナット部材とで構成し、前記ナット部材を締め付けることによって前記台座部材をナット部材と前記下金具とで天板に挟着するようにしたことを特徴とする。
【０００９】
請求項２記載の発明は、請求項１記載の発明において、前記ナット部材と天板の上面との間にリング状のワッシャとパッキンを介設したことを特徴とする。
【００１０】
請求項３記載の発明は、請求項１又は２記載の発明において、前記下金具の上面に、天板の取付孔に嵌合する凸部を形成したことを特徴とする。
【００１１】
請求項４記載の発明は、前記取付部材を、円筒状の台座部材と、折り曲げ可能なリング状の下金具及び前記台座部材の上端に形成された雄ネジ部に螺合するナット部材で構成される取付金具を用いて水栓を天板に取り付ける方法として、前記台座部材に棒状の治具を螺着し、該治具を用いて前記台座部材を天板の取付孔に上方から通し、前記下金具を折り曲げた状態で天板の取付孔にこれを上方から通した後、該下金具を広げてこれを前記台座部材に上方から通して該台座部材の下端に係合せしめ、治具を引き上げて前記台座部材を天板の取付孔に嵌め込むとともに、該台座部材の下端に係合する前記下金具を天板の下面に当接させた状態で、前記ナット部材を治具に通してこれを前記台座部材の天板から上方へ突出する雄ネジ部に螺着することによって台座部材をナット部材と下金具とで天板に挟着した後、該台座部材から前記治具を取り外すようにしたことを特徴とする。
【００１２】
請求項５記載の発明は、請求項４記載の発明において、前記治具を引き上げて前記台座部材を天板の取付孔に嵌め込むとともに、該台座部材の下端に係合する前記下金具を天板の下面に当接させた状態で、リング状のパッキンとワッシャを前記治具と前記台座部材の上部に通してこれらを天板の上面に設置することを特徴とする。
【発明の効果】
【００１３】
請求項１記載の発明によれば、天板の取付孔に上方から通された台座部材の下端部に下金具を係合せしめ、台座部材の天板から上方へ突出する雄ネジ部に螺合するナット部材を天板の上方から締め付けると、台座部材がナット部材と下金具とで天板に挟着されるが、この台座部材は、所謂ねじ込み式によって全周に亘って均一且つ強固に天板に固定され、水栓にぐらつきが発生したり、台座部材と天板との間に隙間が発生してその隙間から水が侵入するという問題が発生することがない。
【００１４】
請求項２記載の発明によれば、ナット部材と天板の上面との間にリング状のワッシャとパッキンを介設したため、パッキンのシール作用によってナット部材と天板間に高いシール性が確保され、両者間への水の侵入が確実に防がれる。又、一般的には弾性体で構成されるパッキンとナット部材との間に金属製のワッシャが介在するため、パッキンとの間に大きな摩擦力を発生させることなくナット部材を抵抗無くスムーズに回してこれを台座部材にネジ込むことができる。
【００１５】
請求項３記載の発明によれば、下金具の上面に形成された凸部を天板の取付孔に嵌合させることによって、該下金具と台座部材を天板の取付孔に対して正確に位置決めすることができる。
【００１６】
請求項４記載の発明によれば、治具を用いて台座部材を天板の取付孔に上方から通した後、下金具を折り曲げて天板の取付孔に通してこれを台座部材の下端に係合せしめ、治具を引き上げて台座部材を天板の取付孔に嵌め込むとともに、該台座部材の下端に係合する下金具を天板の下面に当接させた状態で、ナット部材を治具に通してこれを台座部材の天板から上方へ突出する雄ネジ部に螺着することによって台座部材をナット部材と下金具とで天板に挟着し、最後に台座部材から治具を取り外すことによって、天板の上方からの作業で台座部材を所謂ねじ込み式によって全周に亘って均一且つ強固に天板に固定することができる。
【００１７】
請求項５記載の発明によれば、リング状のパッキンとワッシャを治具と台座部材の上部に通してこれらを天板の上面に設置することによって、ナット部材と天板間に高いシール性を確保するとともに、パッキンとの間に大きな摩擦力を発生させることなくナット部材を抵抗無くスムーズに回してこれを台座部材にネジ込むことができる。
【発明を実施するための最良の形態】
【００１８】
以下に本発明の実施の形態を添付図面に基づいて説明する。
【００１９】
＜水栓の取付構造＞
図１はキッチン流し台の斜視図、図２は図１のＡ−Ａ線拡大断面図、図３は取付金具の分解斜視図、図４は下金具の分解斜視図、図５（Ａ）は下金具の斜視図、図５（Ｂ）は同図（Ａ）のＢ−Ｂ線断面図、図６は下金具の折り曲げ状態を示す斜視図である。
【００２０】
図１に示すキッチン流し台１のキャビネット２の上面には水平な天板（カウンター）３が設置されており、この天板３には、例えばステンレス製の矩形凹状のシンク４が嵌め込まれて設置されている。そして、シンク４の奥側には、水栓５が本発明に係る取付構造によって取り付けられている。
【００２１】
ここで、水栓５の天板３への取付構造を図２に示す。
【００２２】
水栓５は図２に示す取付金具１０によって天板３に取り付けられるが、取付金具１０は、天板３に形成された取付孔３ａを上方から通過し得る円筒状の台座部材１１と、折り曲げた状態で天板３の取付孔３ａを通過して前記台座部材１１の下端部に係合するリング状の下金具１２と、天板３の取付孔３ａに通された前記台座部材１１の天板３から上方へ突出する雄ネジ部１１ａに螺合するナット部材１３とで構成されている。そして、前記ナット部材１３を台座部材１１に締め付けることによって該台座部材１１がナット部材１３と下金具１２とで天板３に挟着されることによって取り付けられる。そして、天板３に取り付けられた台座部材１１の上部と該台座部材１１に螺着されたナット部材１３に水栓５の下端部が嵌め込まれ、不図示のビス等のネジ込みによって水栓５が取付金具１０によって天板３に取り付けられる。尚、図２に示すように、床面から垂直に立ち上がる給水管６と給湯管７は、台座部材１１の中心部を貫通して水栓５に接続されている。
【００２３】
ところで、台座部材１１の雄ネジ部１１ａにはリング状のパッキン１４とワッシャ１５が上方から通され、これらのパッキン１４とワッシャ１５は、ナット部材１３と天板３の上面との間に介設されている。尚、パッキン１４はゴム等の弾性体で構成されており、ワッシャ１５は金属で構成されている。
【００２４】
前記台座部材１１は、図３に示すように、円筒状の本体部１１Ａの下端外周に鍔部１１Ｂが一体に形成されており、本体部１１Ａの上部外周には前記雄ネジ部１１ａが刻設され、この雄ネジ部１１ａの上方の上端部外周の相対向する部位には平坦面（二面幅）１１ｂが形成されている。そして、この台座部材１１の内周部の１箇所には、径方向内方へ突出する凸部１１ｃが全高に亘って一体に形成されており、この凸部１１ｃの上部にはネジ穴１１ｄが形成されている。
【００２５】
ここで、図２に示すように、台座部材１１の本体部１１Ａの外径φｄ１
と鍔部１１Ｂの外径φｄ２ はパネル３の取付孔３ａの内径φｄ０ よりも小さく設定されている（φｄ１
＜φｄ２ ＜φｄ０
）ため、台座部材１１を天板３の取付孔３ａに上方から通すことができる。
【００２６】
又、前記下金具１２は、図３〜図５に示すように、半リング状の分割片１２Ａ，１２Ｂをピン１６によって回動可能に連結して構成されており、その下面内周部には、台座部材１１の鍔部１１Ｂに係合する係合凹部１２ａが形成されており（図５（Ｂ）参照）、各分割片１２Ａ，１２Ｂの上面内周部には円弧状の凸部１２ｂが一体に形成されている。
【００２７】
ここで、図２に示すように、下金具１２の外径φｄ３
は天板３の取付孔３ａの内径φｄ０ よりも大きく（φｄ３ ＞φｄ０
）設定されており、内径は台座部材１１の本体部１１Ａの外径φｄ１ よりも若干大きく設定されている。後述のように、下金具１２は、台座部材１１の本体部１１Ａに上方から嵌め込まれ、その下面内周部に形成された係合凹部１２ａが台座部材１１の鍔部１１Ｂに係合することによって台座部材１１に固定されるとともに、上面に形成された凸部１２ｂが天板３の取付孔３ａに嵌合することによって位置決めされる。
【００２８】
ところで、この下金具１２の一方の分割片１２Ａの両端部には平坦な段差部１２ｃが形成されており、各段差部１２ｃには軸受部１２ｄがそれぞれ形成されている。又、他方の分割片１２Ｂの両端部には軸受部１２ｅが形成されている。そして、両分割片１２Ａ，１２Ｂは、各両端部同士が突き合わされ、互いに接合される各軸受部１２ｄ，１２ｅにピン１６を挿通させることによって、図５（Ａ）に示すように、両分割片１２Ａ，１２Ｂがピン１６を中心として回動可能に軸支され、図６に示すように、両分割片１２Ａ，１２Ｂをピン１６を中心として矢印方向に回動させて当該下金具１２を折り曲げることができる。
【００２９】
又、前記ナット部材１３は、図３に示すように、台座部材１１の雄ネジ部１１ａに螺合する雌ネジ部１３ａが内周部に刻設されており、その下端にはフランジ部１３ｂが一体に形成されている。そして、ナット部材１３の外周の相対向する部位には、スパナ等の工具が係合するための平坦面（二面幅）１３ｃが形成されており、下端面には、内周に沿うリング状の凹部１３ｄが形成されている。
【００３０】
＜水栓の取付方法＞
次に、本発明に係る水栓の取付方法を図７〜図１２に基づいて説明する。尚、図７〜図１２は本発明に係る水栓の取付方法をその工程順に示す斜視図である。
【００３１】
先ず、図７に示すように、台座部材１１の上端面に開口するネジ穴１１ｄに棒状の治具１７の下端部をネジ込んで該治具１７を台座部材１１に垂直に取り付ける。ここで、治具１７の下端部には、台座部材１１のネジ穴１１ｄに螺合する雄ネジ部１７ａが刻設されており、上端部にはハンドル部１７ｂが設けられており、このハンドル部１７ｂを操作して治具１７を回すことによって、前述のように治具１７を台座部材１１の上端に垂直に取り付けることができる（図８参照）。
【００３２】
次に、治具１７に台座部材１１を吊り下げた状態で、図８に示すように、治具１７のハンドル部１７ｂを持って台座部材１１を天板３の取付孔３ａに上方から通す。このとき、前述のように台座部材１１の本体部１１Ａの外径φｄ１
と鍔部１１Ｂの外径φｄ２ は天板３の取付孔３ａの内径φｄ０ よりも小さく設定されている（φｄ１
＜φｄ２ ＜φｄ０
）ため、台座部材１１を天板３の取付孔３ａに上方から通すことができる。
【００３３】
そして、治具１７を持ったまま、下金具１２を図８に示すようにピン１６を中心として折り曲げ、これに治具１７を通し、下金具１２を折り曲げたままこれを天板３の取付孔３ａに上方から通す。尚、前述のように、下金具１２の外径φｄ３
は天板３の取付孔３ａの内径φｄ０ よりも大きく（φｄ３ ＞φｄ０
）設定されているが、下金具１２は折り曲げられるため、これを傾ければ天板３の取付孔３ａに上方から通すことができる。
【００３４】
上述のように下金具１２が折り曲げられた状態でパネル３の取付孔３ａを通過すると、図９に示すように、下金具１２の両分割片１２Ａ，１２Ｂがピン１６を中心として矢印方向に回動して広げられるため、該下金具１２は、図１０に示すように元のリング状の形状に戻る。そして、この下金具１２は、自重で落下し、台座部材１１の本体部１１Ａの外周部に上方から嵌め込まれる。即ち、下金具１２は、その内周部が台座部材１１の本体部１１Ａの外周部に嵌合しながら落下し、その下面内周部に形成された係合凹部１２ａが台座部材１１の鍔部１１Ｂに係合することによって台座部材１１の下端部に固定される。
【００３５】
而して、上述のように下金具１２が台座部材１１に嵌め込まれ、該下金具１１が台座部材１１の鍔部１１Ｂに係合して台座部材１１の下端部に固定されると、治具１７を持ってこれを台座部材１１及び下金具１２と共に上方へ持ち上げ、図１１に示すように、下金具１２を天板３下面の取付孔３ａの周縁に押し当てる。このとき、下金具１２の上面に形成された凸部１２ｂが天板３の取付孔３ａに嵌合するため、該下金具１２と台座部材１１が天板３の取付孔３ａに対して正確に位置決めされる。
【００３６】
上述のように、治具１７によって台座部材１１及び下金具１２を上方へ持ち上げて下金具１２を天板３の下面に押し当てると、図１１に示すように、天板３の取付孔３ａに貫通する台座部材１１の雄ネジ部１１ａが天板３の上面から上方へ突出する。そして、この状態を維持しつつ、パッキン１４とワッシャ１５を治具１７に通してこれらを台座部材１１の天板３の上面から突出する部分に嵌め込み、これらのパッキン１４とワッシャ１５を天板３上面の取付孔３ａの周縁に載せる。
【００３７】
そして、図１１に示すように、ナット部材１３を治具１７に通して台座部材１１に上方から嵌め込み、その内周部の雌ネジ部１３ａを台座部材１１の雄ネジ部１１ａに螺合せしめ、該ナット部材１３を不図示のスパナ等の工具を用いて回して台座部材１１にネジ込めば、図１２に示すように、台座部材１１がナット部材１３と下金具１２とでパネル３に挟着される形で強固に取り付けられ、最後に治具１７を回してこれを台座部材１１から取り外せば、取付金具１０の天板３に対する一連の取付作業が完了する。
【００３８】
而して、上述のように台座部材１１が天板３に取り付けられると、図２に示すように、台座部材１１の上部と該台座部材１１に螺着されたナット部材１３に水栓５の下端部が嵌め込まれ、不図示のビス等のネジ込みによって水栓５が取付金具１０を介して天板３に取り付けられる。
【００３９】
以上のように本発明に係る取付構造及び取付方法によれば、台座部材１１は、所謂ねじ込み式によって全周に亘って均一且つ強固に天板３に固定されるため、水栓５に横方向の外力が作用した場合であっても、該水栓５にぐらつきが発生したり、台座部材１１と天板３との間に隙間が発生してその隙間から水が侵入するという問題が発生することがない。
【００４０】
又、ナット部材１３と天板３の上面との間にリング状のパッキン１４とワッシャ１５を介設したため、パッキン１４のシール作用によってナット部材１３と天板３間に高いシール性が確保され、両者間への水の侵入が確実に防がれる。そして、弾性体で構成されたパッキン１４とナット部材１３との間に金属製のワッシャ１５が介在するため、パッキン１４との間に大きな摩擦力を発生させることなくナット部材１３を抵抗無くスムーズに回してこれを台座部材１１にネジ込むことができる。
【００４１】
更に、下金具１２の上面に形成された凸部１２ｂを天板３の取付孔３ａに嵌合させることによって、該下金具１２と台座部材１１を天板３の取付孔３ａに対して正確に位置決めすることができる。
【図面の簡単な説明】
【００４２】
【図１】キッチン流し台の斜視図である。
【図２】図１のＡ−Ａ線拡大断面図である。
【図３】取付金具の分解斜視図である。
【図４】下金具の分解斜視図である。
【図５】（Ａ）は下金具の斜視図、（Ｂ）は（Ａ）のＢ−Ｂ線断面図である。
【図６】下金具の折り曲げ状態を示す斜視図である。
【図７】本発明に係る水栓の取付方法を示す斜視図である。
【図８】本発明に係る水栓の取付方法を示す斜視図である。
【図９】本発明に係る水栓の取付方法を示す斜視図である。
【図１０】本発明に係る水栓の取付方法を示す斜視図である。
【図１１】本発明に係る水栓の取付方法を示す斜視図である。
【図１２】本発明に係る水栓の取付方法を示す斜視図である。
【符号の説明】
【００４３】
１              キッチン流し台
２              キャビネット
３              天板
３ａ            取付孔
４              シンク
５              水栓
６              給水管
７              給湯管
１０            取付金具
１１            台座部材
１１Ａ          台座部材の本体部
１１Ｂ          台座部材の鍔部
１１ａ          台座部材の雄ネジ部
１１ｂ          台座部材の平坦面（二面幅）
１１ｃ          台座部材の凸部
１１ｄ          台座部材のネジ穴
１２            下金具
１２Ａ，１２Ｂ  下金具の分割片
１２ａ          下金具の係合凹部
１２ｂ          下金具の凸部
１２ｃ          下金具の段差部
１２ｄ，１２ｅ  下金具の軸受部
１３            ナット部材
１３ａ          ナット部材の雌ネジ部
１３ｂ          ナット部材のフランジ部
１３ｃ          ナット部材の平坦面（二面幅）
１３ｄ          ナット部材の凹部
１４            パッキン
１５            ワッシャ
１６            ピン
１７            治具
１７ａ          治具の雄ネジ部
１７ｂ          治具のハンドル部
【図１】
2007262775.tif 000003
【図２】
2007262775.tif 000004
【図３】
2007262775.tif 000005
【図４】
2007262775.tif 000006
【図５】
2007262775.tif 000007
【図６】
2007262775.tif 000008
【図７】
2007262775.tif 000009
【図８】
2007262775.tif 000010
【図９】
2007262775.tif 000011
【図１０】
2007262775.tif 000012
【図１１】
2007262775.tif 000013
【図１２】
2007262775.tif 000014